(57)【要約】【課題】    遊技台の前面枠は遊技機の多機能化によってそれに装着される機能部品の重量が増したので遊技機の模様替えの際の前面枠の脱着作業時その重量が余り負担にならないような蝶番構成であることが望まれる。【解決手段】  前面枠の左上蝶番部において蝶番の支持軸３を通常の使用時には蝶番の荷重がかからない方向に軸導入開口部４を設けた軸穴５に横方向から装着できると共に装着後は蝶番軸の外円周部が１８０度以上の抱き角でしっかりと把持されるように上蝶番の着脱部を構成した。【選択図】図２
2006187576.tif 000002
【特許請求の範囲】
【請求項１】
蝶番軸心部にある軸穴（５）に通ずる軸導入開口部（４）の入り側上面に案内傾斜面（７）を設けた保持金具（２）と．上方に傾斜面（１６）を備えた切欠き部（６）を中間に設けた支持軸（３）を蝶番軸心部に固着した支持金具（８）とで構成し．且軸導入開口部の開口巾を同支持軸径よりは狭く同軸切欠き部よりは広くしてなる．遊技台の蝶番。
【請求項２】
請求項１において構成される遊技台の蝶番の支持軸の切欠きをなくして円筒形の支持軸（３’）とし且保持金具（２’）の軸導入開口部（４’）の巾を軸径が通れる巾にすると共に．軸心部に軸穴（５’）を設け且手前側に折り曲げ案内面（１５）を設けた弾性体の保持板（１４）を同保持金具に取り付けてなる．遊技台の蝶番。
【請求項３】
請求項１において構成される遊技台の蝶番に対して．傾斜面を備えた切欠き部（６）を有する支持軸（３″）を請求項１の場合とは逆の下向きにして支持金具（８’）に固着し．保持金具（２’）の軸穴を軸導入開口部（４”）の開口巾を軸径が通れる巾にした軸穴（５″）にすると共に同保持金具の下面に半円切欠き部（１７）を設けた弾性体の保持板（１８）を取り付けてなる。  遊技台の蝶番。
【発明の詳細な説明】
【技術分野】
【０００１】  本発明は遊技台の前面枠部を保持する装着蝶番の構造に関わる技術に関するものである。
【背景技術】
【０００２】パチンコ遊技台の前面枠の蝶番は開閉時のヒンジ部の役割だけでなく．遊技機としての性格上遊技盤面の取り替えを行う頻度が高く又その段取り替えは遊技機の休止時間を短くする為に手早く行う必要がある．従ってその遊技盤面を装着した前面枠の蝶番部は着脱が容易であることが望ましい。その前面枠の蝶番部の構造として従来多く採用されてきたものに．外枠の下部に設けた蝶番下受金具の軸芯と外枠の上部に取り付けた蝶番上受け金具の軸穴に．前面枠下部に取り付けた蝶番下部支持金具に設けた軸穴と前面枠上部に取り付けた前枠上支持金具の軸芯とを同一軸心上に合わせた状態で前面枠を上から落とし込む方式のものがある。この方式のものは構造は簡単であるが近年前面枠に装着される遊技機の本体機能部の重量が増してその重量を支えながら上下蝶番の軸心を同時に合わて装着することの作業性が悪くなって来たので．その対応策としてのパチンコ遊技台の蝶番部の改良品が色々考案されつつある。
以下参考文献例
【特許文献１】  特許公開２００３−１９０５４９
【特許文献２】  特許公開２００３−２０５１５２
【特許文献３】  特許公開２００３−２２０２５４
【特許文献４】  特許公開２００３−２５１０４１
【特許文献５】  特許公開２００４−２４２７４３
【特許文献５】  特許公開２００４−４９３１１
【発明の開示】
【発明が解決しようとする課題】
【０００３】  上記にも記したように遊技台の蝶番は着脱の作業性がよく且遊技台の防犯上の問題から蝶番軸心の保持剛性に優れていることが望ましい．その為には今日の様様な機能がついて重くなった前面枠の重さが余り負担にならないように着脱作業が出来る事と装着後の蝶番軸部の保持剛性に優れていることが望ましい．更に当然のことながら安価であることが望ましいのでその構造は簡単であることが望ましい。
【課題を解決する為の手段】
【０００４】  前記のように重くなった前面枠の着脱作業を重さが余り負担にならないようにするには重さが支えられた状態で横方向から装着作業が行えるようにすれば良いが．横方向のガタツキは遊技機の性格上不都合なので装着後はそのようなガタツキのない蝶番構成にする必要がある．しかし遊技台の前面枠の開き角度はほぼ１１０度以下であり従って下方荷重を下部蝶番部で受けておけば前面枠上部蝶番部にかかる荷重は片開き扉の性格上通常はその範囲横方向に働く事を考慮して本発明品を考案した。
【発明の効果】
【０００５】    本発明によれば上部蝶番の装着作業は前面枠の重さは下部軸受け部で支えられた状態で横方向から行う事が出来るようにしたので装着の作業は容易であり．蝶番軸芯も装着後は支持軸と軸穴が嵌合状態にしっかりと保持されるので防犯上も問題なく．且その為に構成する蝶番金具の構造は簡単であるので製作費も安価なものとすることが出来る。
【発明を実施する為の形態】
【０００６】  本発明を実施する為の形態は．前面枠の上部蝶番の支持軸を横方向から装着することが出来る軸導入開口部を設けた切欠き円形の軸穴に対し装着後は横方向の力が働いても支持軸にガタツキが生じないように軸穴の切欠き部の円周を補間する為の機構を支持軸側と軸穴側即ち支持金具と保持金具に設けて．装着容易にして軸心を確実に保持できる遊技台の蝶番を構成する。  その具体的な形態を以下の実施例を示す図面を参照にして説明する。
【実施例１】
【０００７】    図１は本発明の請求項１の実施例が遊技機本体に取り付けられた状態を示すもので。図２はその本発明品の上部蝶番部を上面から見たもので図３はその蝶番を取り付けた前面枠を４５度開いた状態の上面図で図４は同部をその側面から見たものである。先ずそれらの図によって本発明の構成を説明すると。
外枠１の左上部に取り付けた保持金具２の蝶番軸心１１位置に軸穴５を設けその金具の左方向から同軸穴に通ずる軸導入開口部４を設け且同開口部の入り側上面に案内傾斜面７を設ける。他方前面枠９の左上部に取り付けた支持金具８には上方に傾斜面１６をその上方先端が案内傾斜面７の下方先端に乗り上げる高さに設けた切欠き部６を有する支持軸３をその切り欠き面が前面枠９と４５度をなすように固着する。そして軸導入開口部４の開口巾は支持軸３の軸径よりは狭く同軸の切り欠き部よりは広くしておく。尚前面枠下部の蝶番構成は従来の普及型と同様の下受け金具１３に取り付けた下部支持軸１０と下部支持金具１２の軸穴部の嵌め合いによるものとする。【０００８】  以上のように構成した蝶番において。前面枠を装着する時は先ず前面枠下部の蝶番部を装着しその下部蝶番部に前面枠の重量を持たせその前面枠を約４５度開いた状態で本発明による上部蝶番部の支持軸３を保持金具２に設けた軸導入開口部４の左入り口側に位置を合わせて前面枠９を浮かせぎみに右方向に上部を移動させれば支持軸３の傾斜面１６が案内傾斜面７に乗り上げて軸切欠き部６の切り欠き部分は軸導入部開口巾より狭いのでその軸導入開口部４を通過し軸穴５に達するそこで前面枠を浮かせていた力を抜けば前面枠は下部蝶番部で受け止められている高さまで下がって落ち着くその高さ位置では支持軸３の上部真円部が軸穴５と嵌合状態になる．即ちその状態では軸穴５が支持軸３を保持する抱き角は１８０度以上の嵌合状態に収まる．従って横方向の力が作用してもガタツク事はない。尚上記のように構成された蝶番部をはずす時は前面枠を約４５度開いた状態で同枠を持ち上げるようにしながら装着時と反対に左方向に上部を移動させればよい。又図に見られるように本発明品は部品点数も少なく簡素で安価なものとなっている。
【実施例２】
【０００９】  図５は請求項２に記した本発明の他の実施例を示すもので図６はその正面図であるが．請求項１における支持軸には中間に切欠き部が有ったが本実施例２では円筒形の支持軸３’を支持金具８に固着しそれに対し保持金具２’側の軸導入開口部４’の巾を軸径が通れる巾にすると共に．軸心部に同軸に嵌合する軸穴５’を設けた弾性体の保持板１４を同保持金具の上面に取り付け．尚同保持板の手前側先端には支持軸３’の頭頂部が下に入り込めるように折り曲げた案内面１５を設ける。【００１０】  以上のように構成された請求項２の実施例の蝶番を用いて装着作業をする場合は．支持軸３’を軸導入開口部４’に近ずけると軸頭頂部が保持板１４の案内面１５の下面に当たって同保持板を押し上げながら軸導入開口部４’を通って蝶番軸心部に達するそして軸穴５’と支持軸３’の軸心が一致すると支持軸の頭頂部の支えが外れて保持板の弾性により保持板が下がり支持軸３’と軸穴５’が嵌合状態になる。従って請求項２即ち本実施例によっても蝶番装着後支持軸は保持金具２’にしっかり把持され横方向にガタツク事はない。尚本蝶番をはずす時は保持板１４と保持金具２’の間にかいものをして保持板１４を浮かせて支持軸の嵌め合い状態をはずした後支持軸３’を軸導入開口部のほうに戻せばよい。
【実施例３】
【００１１】  図７は本発明請求項３の実施例の上面図であり．図７は同実施例において前面枠を約４５度開いた状態の上面図であり．図９は図８の状態の側面図である．それらの図によって請求項３の実施例の形態を説明すると．請求項１おいて支持金具に固着した中間に切欠き部６を有する支持軸３と同様の切欠き部を有する支持軸３″を請求項１の場合とは逆に下向きにして支持金具８’に固着し．保持金具２’側に開口巾を軸径が通れる巾にした軸導入開口部４″を有する軸穴５″を設けると共に同保持金具の下面に半円切欠き部１７を設けた弾性体の保持板１８を取り付けて蝶番を構成する．尚その際支持軸切欠き部の厚み巾と軸導入開口部と保持板１８とで構成される通路巾との関係は請求項１の場合と同様であり保持板１８の取り付け高さは図９に示す如く同保持板先端が傾斜面１６に当接する位置にとりつけて置く。【００１２】  以上のように構成した実施例３の蝶番によって装着作業をする際には．請求項１の場合と同様に支持軸の切欠き方向に合わせた角度に前面枠を開いた状態で請求項１の場合と同様に支持軸を軸導入開口部に押し付けながら前面枠上部を右方向に移動させればよいが本実施例の場合は支持軸の傾斜面が保持金具に乗り上げて通過するのではなく弾性体の保持板１８が下がって切欠き部を通過させ支持軸が軸心に到達し支持軸と保持板の半円切欠き部が嵌合状態になると傾斜面で抑えられていた保持板１８はもとの高さに復帰し支持軸の円周部が保持金具２″の軸穴５″と保持板１８の半円切欠き部１７により１８０度以上の抱き角で把持される結果となる。従って本実際例によっても実施例１の場合と同様の装着性を得る事ができる。尚本実施例の蝶番をはずす場合は実施例１の場合と同様前面枠を持ち上げるようにして取り外すことになる。【００１３】  以上のように構成された本発明品を採用すれば前面枠の装着作業が容易にして安価な遊技台の蝶番を提供することが出来る。
【図面の簡単な説明】
【００１４】
【図１】本発明品を取り付けた遊技台の見取り図である。
【図２】本発明の実施例１の上面図である。
【図３】本発明の実施例１の操作状態の上面図である。
【図４】本発明の実施例１の操作状態の側面図である。
【図５】本発明の実施例２の上面図である。
【図７】本発明の実施例３の上面図である。
【図８】本発明の実施例３の操作状態の上面図である。
【図９】本発明の実施例３の操作状態の側面図である。
【符号の説明】
【００１５】１      外枠
２      保持金具
３      支持軸
４      軸導入開口部
５      軸穴
６      切欠き部
７      案内傾斜面
８      支持金具
９      前面枠
１０    下部支持軸
１１    蝶番軸心
１２    下部支持金具
１３    下受け金具
１４    保持板
１５    案内面
１６    傾斜面
１７    半円切欠き部
１８    保持板
【図１】
2006187576.tif 000003
【図２】
2006187576.tif 000004
【図３】
2006187576.tif 000005
【図４】
2006187576.tif 000006
【図５】
2006187576.tif 000007
【図６】
2006187576.tif 000008
【図７】
2006187576.tif 000009
【図８】
2006187576.tif 000010
【図９】
2006187576.tif 000011
【手続補正書】
【提出日】平成17年3月4日(2005.3.4)
【手続補正１】
【補正対象書類名】明細書
【補正対象項目名】００１４
【補正方法】変更
【補正の内容】
【００１４】
【図１】本発明品を取り付けた遊技台の見取り図である。
【図２】本発明の実施例１の上面図である。
【図３】本発明の実施例１の操作状態の上面図である。
【図４】本発明の実施例１の操作状態の側面図である。
【図５】本発明の実施例２の上面図である。
【図６】本発明の実施例２の正面図である。
【図７】本発明の実施例３の上面図である。
【図８】本発明の実施例３の操作状態の上面図である。
【図９】本発明の実施例３の操作状態の側面図である。